【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
アクセス端末で使用される搬送波を制御する方法において、
前記アクセス端末における１つ以上のリアルタイムの状態と、前記アクセス端末上で実行している少なくとも１つのアプリケーションの決定されたサービス品質要求とに基づいて、部分的に遮断するかどうかと、１つ以上の搬送波のどれを部分的に遮断するかとをダイナミックに決定することと、
前記１つ以上の搬送波に利用可能な１つ以上のスロットからデータを受信しないように、前記１つ以上の搬送波を部分的に遮断することとを含む方法。
【請求項２】
前記ダイナミックに決定することは、前記アクセス端末における１つ以上の処理能力と、前記アクセス端末上で実行している前記少なくとも１つのアプリケーションの前記決定されたサービス品質要求とに基づいて、前記１つ以上の搬送波を部分的に遮断するかどうかを決定する請求項１記載の方法。
【請求項３】
前記ダイナミックに決定することは、
前記処理能力を、予め定められているしきい値と比較することと、
前記比較に基づいて、前記１つ以上の搬送波を選択することとを含む請求項２記載の方法。
【請求項４】
前記１つ以上の処理能力は、前記アクセス端末における、中央処理ユニット（ＣＰＵ）の速度と、ＣＰＵの使用量とのうちの少なくとも１つを含む請求項２記載の方法。
【請求項５】
前記ダイナミックに決定することは、前記アクセス端末における利用可能なメモリと、前記アクセス端末上で実行している前記少なくとも１つのアプリケーションの前記決定されたサービス品質要求とに基づいて、前記１つ以上の搬送波を部分的に遮断するかどうかを決定する請求項１記載の方法。
【請求項６】
前記ダイナミックに決定することは、
前記利用可能なメモリを、予め定められているしきい値と比較することと、
前記比較に基づいて、前記１つ以上の搬送波を選択することとを含む請求項５記載の方法。
【請求項７】
前記１つ以上の搬送波を部分的に遮断することは、前記１つ以上の搬送波に利用可能な１つ以上のスロット中での送信を停止することをアクセスノードに通知するメッセージを送信することを含む請求項１記載の方法。
【請求項８】
アクセス端末において、
前記アクセス端末における１つ以上のリアルタイムの状態と、前記アクセス端末上で実行している少なくとも１つのアプリケーションの決定されたサービス品質要求とに基づいて、部分的に遮断するかどうかと、１つ以上の搬送波のどれを部分的に遮断するかとをダイナミックに決定し、前記ダイナミックな決定に基づいて、前記１つ以上の搬送波に利用可能な１つ以上のスロットからデータを受信しないように、前記１つ以上の搬送波を部分的に遮断するように構成されている処理ユニットを具備するアクセス端末。
【請求項９】
前記処理ユニットは、前記アクセス端末における１つ以上の処理能力と、前記アクセス端末上で実行している前記少なくとも１つのアプリケーションの前記決定されたサービス品質要求とに基づいて、前記１つ以上の搬送波を部分的に遮断するかどうかを決定する請求項８記載のアクセス端末。
【請求項１０】
前記処理ユニットは、
前記処理能力を、予め定められているしきい値と比較し、
前記比較に基づいて、前記１つ以上の搬送波を選択するようにさらに構成されている請求項９記載のアクセス端末。
【請求項１１】
前記１つ以上の処理能力は、前記アクセス端末における、中央処理ユニット（ＣＰＵ）の速度と、ＣＰＵの使用量とのうちの少なくとも１つを含む請求項９記載のアクセス端末。
【請求項１２】
前記処理ユニットは、前記アクセス端末における利用可能なメモリと、前記アクセス端末上で実行している前記少なくとも１つのアプリケーションの前記決定されたサービス品質要求とに基づいて、前記１つ以上の搬送波を部分的に遮断するかどうかを決定する請求項８記載のアクセス端末。
【請求項１３】
前記処理ユニットは、
前記利用可能なメモリを、予め定められているしきい値と比較し、
前記比較に基づいて、前記１つ以上の搬送波を選択するようにさらに構成されている請求項１２記載のアクセス端末。
【請求項１４】
前記処理ユニットは、前記１つ以上の搬送波に利用可能な１つ以上のスロットの送信を部分的に遮断することをアクセスノードに通知するメッセージを送信するようにさらに構成されている請求項８記載のアクセス端末。
【請求項１５】
アクセス端末で使用される搬送波を制御する処理システムにおいて、
前記アクセス端末における１つ以上のリアルタイムの状態と、前記アクセス端末上で実行している少なくとも１つのアプリケーションの決定されたサービス品質要求とに基づいて、部分的に遮断するかどうかと、１つ以上の搬送波のどれを部分的に遮断するかとをダイナミックに決定するように構成されている比較モジュールと、
前記１つ以上の搬送波に利用可能な１つ以上のスロットからデータを受信しないように、前記１つ以上の搬送波を部分的に遮断するように構成されているデータレート制御信号モジュールとを具備する処理システム。
【請求項１６】
前記比較モジュールは、前記アクセス端末における１つ以上の処理能力と、前記アクセス端末上で実行している前記少なくとも１つのアプリケーションの前記決定されたサービス品質要求とに基づいて、前記１つ以上の搬送波を部分的に遮断するかどうかを決定する請求項１５記載の処理システム。
【請求項１７】
処理能力を決定するように構成されている監視モジュールをさらに具備し、
前記比較モジュールは、
前記処理能力を、予め定められているしきい値と比較し、
前記比較に基づいて、前記１つ以上の搬送波を選択するようにさらに構成されている請求項１５記載の処理システム。
【請求項１８】
前記１つ以上の処理能力は、前記アクセス端末における、中央処理ユニット（ＣＰＵ）の速度と、ＣＰＵの使用量とのうちの少なくとも１つを含む請求項１６記載の処理システム。
【請求項１９】
前記１つ以上の搬送波は、前記アクセス端末における利用可能なメモリと、前記アクセス端末上で実行している前記少なくとも１つのアプリケーションの前記決定されたサービス品質要求とに基づいて決定される請求項１５記載の処理システム。
【請求項２０】
前記利用可能なメモリを決定するように構成されている監視モジュールをさらに具備し、
前記比較モジュールは、
前記利用可能なメモリを、予め定められているしきい値と比較し、
前記比較に基づいて、前記１つ以上の搬送波を選択するようにさらに構成されている請求項１９記載の処理システム。
【請求項２１】
前記データレート制御信号モジュールは、前記１つ以上の搬送波に利用可能な１つ以上のスロットの送信を部分的に遮断することをアクセスノードに通知するメッセージを送信するように構成されている請求項１５記載の処理システム。
【請求項２２】
アクセス端末で使用される搬送波をプロセッサに制御させるための命令を記憶する非一時的な機械読み取り可能媒体において、
前記命令は、
前記アクセス端末における１つ以上のリアルタイムの状態と、前記アクセス端末上で実行している少なくとも１つのアプリケーションの決定されたサービス品質要求とに基づいて、部分的に遮断するかどうかと、１つ以上の搬送波のどれを部分的に遮断するかをダイナミックに決定し、
前記１つ以上の搬送波に利用可能な１つ以上のスロットからデータを受信しないように、前記１つ以上の搬送波を部分的に遮断するためのコードを含む非一時的な機械読み取り可能媒体。
【請求項２３】
前記１つ以上の搬送波は、前記アクセス端末における１つ以上の処理能力と、前記アクセス端末上で実行している前記少なくとも１つのアプリケーションの前記決定されたサービス品質要求とに基づいて決定される請求項２２記載の機械読み取り可能媒体。
【請求項２４】
前記ダイナミックに決定することは、
前記処理能力を、予め定められているしきい値と比較することと、
前記比較に基づいて、前記１つ以上の搬送波を選択することとを含む請求項２３記載の機械読み取り可能媒体。
【請求項２５】
前記１つ以上の処理能力は、前記アクセス端末における、中央処理ユニット（ＣＰＵ）の速度と、ＣＰＵの使用量とのうちの少なくとも１つを含む請求項２３記載の機械読み取り可能媒体。
【請求項２６】
前記１つ以上の搬送波は、前記アクセス端末における利用可能なメモリと、前記アクセス端末上で実行している前記少なくとも１つのアプリケーションの前記決定されたサービス品質要求とに基づいて決定される請求項２２記載の機械読み取り可能媒体。
【請求項２７】
前記ダイナミックに決定することは、
前記利用可能なメモリを、予め定められているしきい値と比較することと、
前記比較に基づいて、前記１つ以上の搬送波を選択することとを含む請求項２６記載の機械読み取り可能媒体。
【請求項２８】
前記１つ以上の搬送波を部分的に遮断することは、前記１つ以上の搬送波に利用可能な１つ以上のスロットの送信を遮断することをアクセスノードに通知するメッセージを送信することを含む請求項２２記載の機械読み取り可能媒体。
【請求項２９】
アクセス端末で使用される搬送波を制御する装置において、
前記アクセス端末における１つ以上のリアルタイムの状態と、前記アクセス端末上で実行している少なくとも１つのアプリケーションの決定されたサービス品質要求とに基づいて、部分的に遮断するかどうかと、１つ以上の搬送波のどれを部分的に遮断するかとをダイナミックに決定する手段と、
前記１つ以上の搬送波に利用可能な１つ以上のスロットからデータを受信しないように、前記１つ以上の搬送波を部分的に遮断する手段とを具備する装置。
【請求項３０】
前記ダイナミックに決定する手段は、前記アクセス端末における１つ以上の処理能力と、前記アクセス端末上で実行している前記少なくとも１つのアプリケーションの前記決定されたサービス品質要求とに基づいて、前記１つ以上の搬送波を部分的に遮断するかどうかを決定する請求項２９記載の装置。
【請求項３１】
前記ダイナミックに決定する手段は、
前記処理能力を、予め定められているしきい値と比較する手段と、
前記比較に基づいて、前記１つ以上の搬送波を選択する手段とを備える請求項３０記載の装置。
【請求項３２】
前記１つ以上の処理能力は、前記アクセス端末における、中央処理ユニット（ＣＰＵ）の速度と、ＣＰＵの使用量とのうちの少なくとも１つを含む請求項３０記載の装置。
【請求項３３】
前記１つ以上の搬送波は、前記アクセス端末における利用可能なメモリと、前記アクセス端末上で実行している前記少なくとも１つのアプリケーションの前記決定されたサービス品質要求とに基づいて決定される請求項２９記載の装置。
【請求項３４】
前記ダイナミックに決定する手段は、
前記利用可能なメモリを、予め定められているしきい値と比較する手段と、
前記比較に基づいて、前記１つ以上の搬送波を選択する手段とを備える請求項３３記載の装置。
【請求項３５】
前記１つ以上の搬送波に利用可能な１つ以上のスロットの送信を部分的に遮断することをアクセスノードに通知するメッセージを送信する手段をさらに具備する請求項２９記載の装置。
【請求項３６】
前記１つ以上の搬送波を部分的に遮断することは、前記１つ以上の搬送波の利用可能なスロットのうちの、すべてではないがいくつかを遮断することを含む請求項１記載の方法。
【請求項３７】
前記１つ以上のスロットは、１つ以上のタイムスロットである請求項１記載の方法。
【請求項３８】
前記処理ユニットは、前記１つ以上の搬送波の利用可能なスロットのうちの、すべてではないがいくつかを遮断するように構成されている請求項８記載のアクセス端末。
【請求項３９】
前記１つ以上のスロットは、１つ以上のタイムスロットである請求項８記載のアクセス端末。
【請求項４０】
前記データレート制御信号モジュールは、前記１つ以上の搬送波の利用可能なスロットのうちの、すべてではないがいくつかを遮断するように構成されている請求項１５記載の処理システム。
【請求項４１】
前記１つ以上のスロットは、１つ以上のタイムスロットである請求項１５記載の処理システム。
【請求項４２】
前記１つ以上の搬送波を部分的に遮断することは、前記１つ以上の搬送波の利用可能なスロットのうちの、すべてではないがいくつかを遮断することを含む請求項２２記載の機械読み取り可能媒体。
【請求項４３】
前記１つ以上のスロットは、１つ以上のタイムスロットである請求項２２記載の機械読み取り可能媒体。
【請求項４４】
前記１つ以上の搬送波を部分的に遮断する手段は、前記１つ以上の搬送波の利用可能なスロットのうちの、すべてではないがいくつかを遮断することを含む請求項２９記載の装置。
【請求項４５】
前記１つ以上のスロットは、１つ以上のタイムスロットである請求項２９記載の装置。
【請求項４６】
１つ以上の搬送波を部分的に遮断するかどうかをダイナミックに決定することは、前記データを前記アクセス端末に伝達する前記１つ以上の搬送波のデータレートに少なくとも部分的に基づく、請求項１に記載の方法。
【手続補正２】
【補正対象書類名】明細書
【補正対象項目名】００４４
【補正方法】変更
【補正の内容】
【００４４】
いかなる当業者であっても本開示を実施しまたは使用できるように、開示した観点の記述をこれまでに提供している。これらの観点に対してさまざまな修正が当業者に容易に明らかであり、本開示から逸脱することなく、ここで規定した一般的な原理を、他の観点に適用してもよい。したがって、本開示は、ここで示した観点に限定されるように向けられておらず、ここで開示した原理および新規な特徴に矛盾しない最も広い範囲に一致すべきである。
以下に、本願出願の当初の特許請求の範囲に記載された発明を付記する。
［Ｃ１］
アクセス端末で使用される搬送波を制御する方法において、
前記アクセス端末における１つ以上のリアルタイムの状態に基づいて、前記アクセス端末がデータを受信する１つ以上の搬送波を完全にまたは部分的に遮断するかどうかをダイナミックに決定することと、
前記１つ以上の搬送波に利用可能な１つ以上のスロットからデータを受信しないように、前記１つ以上の搬送波を完全にまたは部分的に遮断することとを含む方法。
［Ｃ２］
前記ダイナミックに決定することは、前記アクセス端末における１つ以上の処理能力に基づいて、前記１つ以上の搬送波を完全にまたは部分的に遮断するかどうかを決定するＣ１記載の方法。
［Ｃ３］
前記ダイナミックに決定することは、
前記処理能力を、予め定められているしきい値と比較することと、
前記比較に基づいて、前記１つ以上の搬送波を選択することとを含むＣ２記載の方法。
［Ｃ４］
前記１つ以上の処理能力は、前記アクセス端末における、中央処理ユニット（ＣＰＵ）の速度と、ＣＰＵの使用量とのうちの少なくとも１つを含むＣ２記載の方法。
［Ｃ５］
前記ダイナミックに決定することは、前記アクセス端末における利用可能なメモリに基づいて、前記１つ以上の搬送波を完全にまたは部分的に遮断するかどうかを決定するＣ１記載の方法。
［Ｃ６］
前記ダイナミックに決定することは、
前記利用可能なメモリを、予め定められているしきい値と比較することと、
前記比較に基づいて、前記１つ以上の搬送波を選択することとを含むＣ５記載の方法。
［Ｃ７］
前記１つ以上の搬送波を完全にまたは部分的に遮断することは、前記１つ以上の搬送波に利用可能な１つ以上のスロット中での送信を停止することをアクセスノードに通知メッセージを送信することを含むＣ１記載の方法。
［Ｃ８］
アクセス端末において、
前記アクセス端末における１つ以上のリアルタイムの状態に基づいて、前記アクセス端末がデータを受信する１つ以上の搬送波を完全にまたは部分的に遮断するかどうかをダイナミックに決定し、前記１つ以上の搬送波に利用可能な１つ以上のスロットからデータを受信しないように、前記１つ以上の搬送波を完全にまたは部分的に遮断するように構成されている処理ユニットを具備するアクセス端末。
［Ｃ９］
前記処理ユニットは、前記アクセス端末における１つ以上の処理能力に基づいて、前記１つ以上の搬送波を完全にまたは部分的に遮断するかどうかを決定するＣ８記載のアクセス端末。
［Ｃ１０］
前記処理ユニットは、
前記処理能力を、予め定められているしきい値と比較し、
前記比較に基づいて、前記１つ以上の搬送波を選択するようにさらに構成されているＣ９記載のアクセス端末。
［Ｃ１１］
前記１つ以上の処理能力は、前記アクセス端末における、中央処理ユニット（ＣＰＵ）の速度と、ＣＰＵの使用量とのうちの少なくとも１つを含むＣ９記載のアクセス端末。
［Ｃ１２］
前記処理ユニットは、前記アクセス端末における利用可能なメモリに基づいて、前記１つ以上の搬送波を完全にまたは部分的に遮断するかどうかを決定するＣ８記載のアクセス端末。
［Ｃ１３］
前記処理ユニットは、
前記利用可能なメモリを、予め定められているしきい値と比較し、
前記比較に基づいて、前記１つ以上の搬送波を選択するようにさらに構成されているＣ１２記載のアクセス端末。
［Ｃ１４］
前記処理ユニットは、前記１つ以上の搬送波に利用可能な１つ以上のスロットの送信を完全にまたは部分的に遮断することをアクセスノードに通知するメッセージを送信するようにさらに構成されているＣ８記載のアクセス端末。
［Ｃ１５］
アクセス端末で使用される搬送波を制御する処理システムにおいて、
前記アクセス端末における１つ以上のリアルタイムの状態に基づいて、前記アクセス端末がデータを受信する１つ以上の搬送波を完全にまたは部分的に遮断するかどうかをダイナミックに決定するように構成されている比較モジュールと、
前記１つ以上の搬送波に利用可能な１つ以上のスロットからデータを受信しないように、前記１つ以上の搬送波を完全にまたは部分的に遮断するように構成されているデータレート制御信号モジュールとを具備する処理システム。
［Ｃ１６］
前記比較モジュールは、前記アクセス端末における１つ以上の処理能力に基づいて、前記１つ以上の搬送波を完全にまたは部分的に遮断するかどうかを決定するＣ１５記載の処理システム。
［Ｃ１７］
前記処理能力を決定するように構成されている監視モジュールをさらに具備し、
前記比較モジュールは、
前記処理能力を、予め定められているしきい値と比較し、
前記比較に基づいて、前記１つ以上の搬送波を選択するようにさらに構成されているＣ１５記載の処理システム。
［Ｃ１８］
前記１つ以上の処理能力は、前記アクセス端末における、中央処理ユニット（ＣＰＵ）の速度と、ＣＰＵの使用量とのうちの少なくとも１つを含むＣ１６記載の処理システム。
［Ｃ１９］
前記１つ以上の搬送波は、前記アクセス端末における利用可能なメモリに基づいて決定されるＣ１５記載の処理システム。
［Ｃ２０］
前記利用可能なメモリを決定するように構成されている監視モジュールをさらに具備し、
前記比較モジュールは、
前記利用可能なメモリを、予め定められているしきい値と比較し、
前記比較に基づいて、前記１つ以上の搬送波を選択するようにさらに構成されているＣ１９記載の処理システム。
［Ｃ２１］
前記データレート制御信号モジュールは、前記１つ以上の搬送波に利用可能な１つ以上のスロットの送信を完全にまたは部分的に遮断することをアクセスノードに通知するメッセージを送信するように構成されているＣ１５記載の処理システム。
［Ｃ２２］
アクセス端末で使用される搬送波をプロセッサに制御させるための命令を記憶している機械読み取り可能媒体において、
前記命令は、
前記アクセス端末における１つ以上のリアルタイムの状態に基づいて、前記アクセス端末がデータを受信する１つ以上の搬送波を完全にまたは部分的に遮断するかどうかをダイナミックに決定し、
前記１つ以上の搬送波に利用可能な１つ以上のスロットからデータを受信しないように、前記１つ以上の搬送波を完全にまたは部分的に遮断するためのコードを含む機械読み取り可能媒体。
［Ｃ２３］
前記比較モジュールは、前記アクセス端末における１つ以上の処理能力に基づいて、前記１つ以上の搬送波を完全にまたは部分的に遮断するかどうかを決定するＣ２２記載の機械読み取り可能媒体。
［Ｃ２４］
前記ダイナミックに決定することは、
前記処理能力を、予め定められているしきい値と比較することと、
前記比較に基づいて、前記１つ以上の搬送波を選択することとを含むＣ２３記載の機械読み取り可能媒体。
［Ｃ２５］
前記１つ以上の処理能力は、前記アクセス端末における、中央処理ユニット（ＣＰＵ）の速度と、ＣＰＵの使用量とのうちの少なくとも１つを含むＣ２３記載の機械読み取り可能媒体。
［Ｃ２６］
前記１つ以上の搬送波は、前記アクセス端末における利用可能なメモリに基づいて決定されるＣ２２記載の機械読み取り可能媒体。
［Ｃ２７］
前記ダイナミックに決定することは、
前記利用可能なメモリを、予め定められているしきい値と比較することと、
前記比較に基づいて、前記１つ以上の搬送波を選択することとを含むＣ２６記載の機械読み取り可能媒体。
［Ｃ２８］
前記１つ以上の搬送波を完全にまたは部分的に遮断することは、前記１つ以上の搬送波に利用可能な１つ以上のスロットの送信を遮断することをアクセスノードに通知するメッセージを送信するモジュールを含むＣ２２記載の機械読み取り可能媒体。
［Ｃ２９］
アクセス端末で使用される搬送波を制御する装置において、
前記アクセス端末における１つ以上のリアルタイムの状態に基づいて、前記アクセス端末がデータを受信する１つ以上の搬送波を完全にまたは部分的に遮断するかどうかをダイナミックに決定する手段と、
前記１つ以上の搬送波に利用可能な１つ以上のスロットからデータを受信しないように、前記１つ以上の搬送波を完全にまたは部分的に遮断する手段とを具備する装置。
［Ｃ３０］
前記ダイナミックに決定する手段は、前記アクセス端末における１つ以上の処理能力に基づいて、前記１つ以上の搬送波を完全にまたは部分的に遮断するかどうかを決定するＣ２９記載の装置。
［Ｃ３１］
前記ダイナミックに決定する手段は、
前記処理能力を、予め定められているしきい値と比較する手段と、
前記比較に基づいて、前記１つ以上の搬送波を選択する手段とを備えるＣ３０記載の装置。
［Ｃ３２］
前記１つ以上の処理能力は、前記アクセス端末における、中央処理ユニット（ＣＰＵ）の速度と、ＣＰＵの使用量とのうちの少なくとも１つを含むＣ３０記載の装置。
［Ｃ３３］
前記１つ以上の搬送波は、前記アクセス端末における利用可能なメモリに基づいて決定されるＣ２９記載の装置。
［Ｃ３４］
前記ダイナミックに決定する手段は、
前記利用可能なメモリを、予め定められているしきい値と比較する手段と、
前記比較に基づいて、前記１つ以上の搬送波を選択する手段とを備えるＣ３３記載の装置。
［Ｃ３５］
前記１つ以上の搬送波に利用可能な１つ以上のスロットの送信を完全にまたは部分的に遮断することをアクセスノードに通知するメッセージを送信する手段をさらに具備するＣ２９記載の装置。
［Ｃ３６］
前記１つ以上の搬送波を完全にまたは部分的に遮断することは、前記１つ以上の搬送波の利用可能なすべてのスロットを遮断することを含むＣ１記載の方法。
［Ｃ３７］
前記１つ以上の搬送波を完全にまたは部分的に遮断することは、前記１つ以上の搬送波の利用可能なスロットのうちの、すべてではないがいくつかを遮断することを含むＣ１記載の方法。
［Ｃ３８］
前記１つ以上のスロットは、１つ以上のタイムスロットであるＣ１記載の方法。
［Ｃ３９］
前記処理ユニットは、前記１つ以上の搬送波の利用可能なスロットのすべてを遮断するように構成されているＣ８記載のアクセス端末。
［Ｃ４０］
前記処理ユニットは、前記１つ以上の搬送波の利用可能なスロットのうちの、すべてではないがいくつかを遮断するように構成されているＣ８記載のアクセス端末。
［Ｃ４１］
前記１つ以上のスロットは、１つ以上のタイムスロットであるＣ８記載のアクセス端末。
［Ｃ４２］
前記データレート制御信号モジュールは、前記１つ以上の搬送波の利用可能なすべてのスロットを遮断するように構成されているＣ１５記載の処理システム。
［Ｃ４３］
前記データレート制御信号モジュールは、前記１つ以上の搬送波の利用可能なスロットのうちの、すべてではないがいくつかを遮断するように構成されているＣ１５記載の処理システム。
［Ｃ４４］
前記１つ以上のスロットは、１つ以上のタイムスロットであるＣ１５記載の処理システム。
［Ｃ４５］
前記１つ以上の搬送波を完全にまたは部分的に遮断することは、前記１つ以上の搬送波の利用可能なすべてのスロットを遮断することを含むＣ２２記載の機械読み取り可能媒体。
［Ｃ４６］
前記１つ以上の搬送波を完全にまたは部分的に遮断することは、前記１つ以上の搬送波の利用可能なスロットのうちの、すべてではないがいくつかを遮断することを含むＣ２２記載の機械読み取り可能媒体。
［Ｃ４７］
前記１つ以上のスロットは、１つ以上のタイムスロットであるＣ２２記載の機械読み取り可能媒体。
［Ｃ４８］
前記１つ以上の搬送波を完全にまたは部分的に遮断する手段は、前記１つ以上の搬送波の利用可能なすべてのスロットを遮断することを含むＣ２９記載の装置。
［Ｃ４９］
前記１つ以上の搬送波を完全にまたは部分的に遮断する手段は、前記１つ以上の搬送波の利用可能なスロットのうちの、すべてではないがいくつかを遮断することを含むＣ２９記載の装置。
［Ｃ５０］
前記１つ以上のスロットは、１つ以上のタイムスロットであるＣ２９記載の装置。